(57)【要約】本発明は、複数の画像投射装置及びディスプレイを有するディスプレイ装置に係る。ディスプレイ装置は、ディスプレイに対して受信されるコンテンツを与え、また複数の画像投射装置に対して画像信号を与える。与えられた画像信号に応じて、複数の画像投射装置は、ディスプレイから離れた表示表面の範囲上に画像を投射する。ディスプレイ装置の周囲に位置付けられる複数の画像キャプチャ装置は、投射される画像を較正及び／又は位置合わせするよう複数の画像投射装置の較正及び／又は位置合わせ手順中に動作する。
2009530683.tif 000002
【特許請求の範囲】
【請求項１】
ディスプレイ装置であって：
複数の画像投射装置と；
ディスプレイと、
を有し、
当該ディスプレイ装置は：
受信されるコンテンツを前記ディスプレイに対して与えるよう；また、
前記複数の画像投射装置に対して画像信号を与えるよう、
構成され、
前記複数の画像投射装置は、与えられた前記画像信号に応じて前記ディスプレイから離れた表示表面の範囲上に環境画像を投射するよう構成される、
ディスプレイ装置。
【請求項２】
前記複数の画像投射装置及び前記ディスプレイに対して作動的に結合されるプロセッサを有し、
該プロセッサは：
前記コンテンツを分析するよう；また、
前記分析されたコンテンツに応じて前記画像信号を与えるよう、
構成される、
請求項１記載のディスプレイ装置。
【請求項３】
前記複数の画像投射装置及び前記ディスプレイに対して作動的に結合されるプロセッサを有し、
該プロセッサは：
受信される環境効果スクリプトを分析するよう；また、
前記分析された環境効果スクリプトに応じて前記画像信号を与えるよう、
構成される、
請求項１記載のディスプレイ装置。
【請求項４】
前記複数の画像投射装置は、当該ディスプレイ装置へと一体にされる、
請求項１記載のディスプレイ装置。
【請求項５】
複数の画像キャプチャ装置を有し、
該複数の画像キャプチャ装置は、前記複数の画像投射装置の較正手順中に動作するよう構成される、
請求項１記載のディスプレイ装置。
【請求項６】
複数の画像キャプチャ装置を有し、
該複数の画像キャプチャ装置は、前記複数の画像投射装置の位置合わせ中に動作するよう構成される、
請求項１記載のディスプレイ装置。
【請求項７】
当該ディスプレイ装置を取り囲む縁を有し、
前記複数の画像投射装置は、該縁の一部の周囲に位置付けられる、
請求項１記載のディスプレイ装置。
【請求項８】
前記縁の一部の周囲に位置付けられる複数の画像キャプチャ装置を有し、
該画像キャプチャ装置は、前記複数の画像投射装置の較正中及び位置合わせ中の少なくとも一方において動作するよう構成される、
請求項７記載のディスプレイ装置。
【請求項９】
当該ディスプレイ装置の周囲に位置付けられる複数の画像キャプチャ装置を有し、
該画像キャプチャ装置は、前記複数の画像投射装置の較正中及び位置合わせ中の少なくとも一方において動作するよう構成される、
請求項１記載のディスプレイ装置。
【請求項１０】
画像キャプチャ装置と；
前記複数の画像投射装置と前記ディスプレイと前記画像キャプチャ装置とに対して作動的に結合されるプロセッサと、
を有し、
前記複数の画像投射装置は、重畳する画像領域を有する前記表示表面上に環境画像領域を投射するよう構成され、
前記画像キャプチャ装置は、前記重畳する画像領域を有する画像をキャプチャするよう構成され、
前記プロセッサは、前記キャプチャされた画像を分析し、且つ前記分析されたキャプチャされた画像によって定められる通り前記投射された環境画像領域を位置合わせするよう、構成される、
請求項１記載のディスプレイ装置。
【請求項１１】
画像キャプチャ装置と；
前記複数の画像投射装置と前記ディスプレイと前記画像キャプチャ装置とに対して作動的に結合されるプロセッサと、
を有し、
前記複数の画像投射装置の各々は、重畳する画像領域を有する前記表示表面上に環境画像領域を投射するよう構成され、
前記画像キャプチャ装置は、前記重畳する画像領域を有する画像をキャプチャするよう構成され、
前記プロセッサは、前記キャプチャされた画像を分析し、且つ前記分析されたキャプチャされた画像によって定められる通り前記複数の画像投射装置を構成するよう、構成される、
請求項１記載のディスプレイ装置。
【請求項１２】
ディスプレイ装置の周囲に少なくとも部分的に位置付けられる環境表示画像を生成する方法であって：
前記ディスプレイ装置を取り囲む縁から画像部分を投射する動作と；
重畳する画像領域を有する前記画像部分の画像をキャプチャする動作と；
前記キャプチャされた画像を分析する動作と；
前記分析されたキャプチャされた画像に部分的に依存して較正及び位置合わせ手順のうち少なくとも一方を実行する動作と、
を有する方法。
【請求項１３】
前記較正と位置合わせ手順のうち少なくとも一方を実行する動作は：
ディスプレイ特性を定めるよう前記キャプチャされた画像を分析する動作と；
前記定められたディスプレイ特性に基づいて前記投射される画像部分を調整する動作と、
を有する、
請求項１２記載の方法。
【請求項１４】
前記ディスプレイ特性は、色、色調、彩度、明度、及び位置合わせのうち少なくとも１つである、
請求項１３記載の方法。
【請求項１５】
前記キャプチャされた画像を分析する動作は、前記画像部分の１つの前記画像部分の他の部分に対する位置合わせを定めるよう、前記キャプチャされた画像における前記重畳する画像領域を分析する動作、を有し、
前記較正及び位置合わせ手順のうち少なくとも一方を実行する動作は、前記定められた位置合わせに依存して前記投射された画像部分のうち少なくとも１つを調整する動作、を有する、
請求項１２記載の方法。
【請求項１６】
前記投射された画像部分を定めるよう前記ディスプレイ装置上の表示に対するコンテンツを分析する動作、を有する、
請求項１２記載の方法。
【請求項１７】
前記投射された画像部分を定めるよう環境効果スクリプトを分析する動作、を有する、
請求項１２記載の方法。
【請求項１８】
ディスプレイ装置の外側の縁を越えて位置付けられる環境表示画像を生成するよう較正されるコンピュータ可読媒体において実施されるアプリケーションであって：
画像部分の投射を制御するよう構成される一部分と；
前記投射された画像部分を有する画像をキャプチャするために画像キャ追うチャンバ装置を制御するよう構成される一部分と；
前記キャプチャされた画像を分析するよう構成される一部分と；
前記分析されたキャプチャされた画像に部分的に依存して較正及び位置合わせ手順のうち少なくとも一方を実行するよう構成される一部分と、
を有するアプリケーション。
【請求項１９】
前記較正及び位置合わせ手順のうち少なくとも一方を実行するよう構成される前記一部分は；
ディスプレイ特性を定めるために前記キャプチャされた画像部分を分析するよう構成される一部分と；
前記定められたディスプレイ特性に基づいて前記投射された画像を調整するよう構成される一部分と、
を有する請求項１８記載のアプリケーション。
【請求項２０】
前記キャプチャされた画像を分析するよう構成される前記一部分は、前記画像部分の１つの前記画像部分の他の１つに対する位置合わせを定めるために前記キャプチャされた画像において重畳される画像領域を分析するよう構成され、
前記較正及び位置合わせ手順のうち少なくとも一方を実行するよう構成される前記一部分は、前記定められた位置合わせに依存して前記投射された画像部分のうち少なくとも１つを調整するよう構成される、
請求項１８記載のアプリケーション。
【請求項２１】
ディスプレイ装置上の表示に対するコンテンツを与えるよう構成される一部分と；
前記コンテンツを分析するよう構成される一部分と、
を有し、
画像部分の投射を制御するよう構成される前記一部分は、前記分析されたコンテンツに依存して画像部分の投射を制御するよう構成される、
請求項１８記載のアプリケーション。
【請求項２２】
環境効果スクリプトを分析し、且つ前記分析された環境効果スクリプトに依存して画像部分の投射を制御するよう構成される一部分、
を有する請求項１８記載のアプリケーション。
【発明の詳細な説明】
【技術分野】
【０００１】
本発明は、環境照明効果（ａｍｂｉｅｎｔ  ｌｉｇｈｔｉｎｇ  ｅｆｆｅｃｔ）を有するビデオディスプレイユニットに係る。該環境照明効果は、ディスプレイ装置の縁（へり、ｂｏｒｄｅｒ）の周囲に位置付けられる複数の画像プロジェクタによって生成される。
【背景技術】
【０００２】
コーニンクレッカ・フィリップス・エレクトロニクスＮ．Ｖ．（Ｐｈｉｌｉｐｓ）及び他の会社は、典型的な家庭用又はビジネス用途に対するビデオコンテンツを高めるよう、環境又は周辺照明を変える手段を開示してきている。ビデオディスプレイ又はテレビジョン受像機に対して加えられる環境照明は、観察者の疲労を低減し、また経験のリアリズム及び深さを向上させるよう示されている。近年、フィリップス社は、テレビジョン受像機の周囲のフレームが支持する後壁上あるいはテレビジョン受像機の近くに環境照明を投射する環境光源を有する、環境照明を有するフラットパネルテレビジョン受像機を含む、一連のテレビジョン受像機を有している。更には、テレビジョン受像機とは離れた光源はまた、同様に制御され得る環境光を生成するよう制御され得る。
【０００３】
参照として本願に組み込まれるＰＣＴ特許出願、ＷＯ２００４／００６５７０（特許文献１）は、表示されるコンテンツの色特性に基づいて環境照明効果を制御するシステム及び装置を開示する。該色特性とは例えば、色調、彩度、明度、色、シーン移行速度、認識される文字（ｃｈａｒａｃｔｅｒｓ）、検出される雰囲気（ｄｅｔｅｃｔｅｄ  ｍｏｏｄ）である。動作において、システムは、受信されたコンテンツを分析し、ディスプレイ全体にわたる平均色等であるコンテンツの分配を利用し得るか、あるいは、環境照明要素を制御するようディスプレイの縁の近くに位置付けられる表示されるコンテンツの一部を利用し得る。環境光機能は一般的に、環境照明要素の時間的推移（ｔｅｍｐｏｒａｌ  ｔｒａｎｓｉｔｉｏｎ）を円滑にするよう時間的平均化と共にフレーム毎に環境照明効果を生成するよう、ディスプレイ自体のビデオコンテンツを使用する。
【特許文献１】ＷＯ２００４／００６５７０
【発明の開示】
【発明が解決しようとする課題】
【０００４】
本発明は、従来技術における不利点を克服し、並びに／あるいは従来技術を向上させる、ことを目的とする。
【課題を解決するための手段】
【０００５】
本発明は、複数の環境画像部分（ａｍｂｉｅｎｔ  ｉｍａｇｅ  ｐｏｒｔｉｏｎｓ）を投射する方法及びディスプレイ装置を与える。ディスプレイ装置は、複数の画像投射装置及びディスプレイを有する。動作において、ディスプレイ装置は、ディスプレイに対して受信されるコンテンツを与え、また複数の画像投射装置に対して画像信号を与える。与えられた画像信号に応じて、複数の画像投射装置は、ディスプレイから離れた表示範囲（ｄｉｓｐｌａｙ  ａｒｅａ）の一部分上に画像を投射する。一実施例では、プロセッサは、複数の画像投射装置、ディスプレイ、及び画像キャプチャ装置に対して作動的に結合される（ｏｐｅｒａｔｉｏｎａｌｌｙ  ｃｏｕｐｌｅｄ）。プロセッサは、コンテンツを分析し、分析されたコンテンツに応じて画像信号を与える。画像信号は、ディスプレイ上に表示されるコンテンツ、受信される環境光かスクリプト、及び／又は他のデータに応じて与えられ得る。同一又は他の実施例において、複数の画像投射装置は、ディスプレイ装置へと一体にされる。
【０００６】
複数の画像キャプチャ装置は、ディスプレイ装置の縁の周囲に位置付けられ得、複数の画像投射装置の較正及び／又は位置合わせ手順（ｃａｌｉｂｒａｔｉｏｎ  ａｎｄ  ａｌｉｇｎｍｅｎｔ  ｐｒｏｃｅｄｕｒｅ）中に動作し得る。複数の画像投射装置は、重畳する画像領域を有する表示表面（ｄｉｓｐｌａｙ  ｓｕｒｆａｃｅ）上に環境画像領域を投射し得る。画像キャプチャ装置は、重畳する画像領域を有する画像をキャプチャするよう動作され得る。キャプチャされた画像は、分析されたキャプチャされた画像に基づいて投射された環境画像領域を較正及び／又は位置合わせするよう分析され得る。
【発明を実施するための最良の形態】
【０００７】
以下において、添付の図面と併せて、上述された特徴及び利点、並びに更なる特徴及び利点を立証する例証的な実施例が説明される。以下の記載において、具体的な詳細は、制限的ではなく説明を目的として、特定の構造、インタフェース、技術等について説明される。しかしながら、当業者は、かかる具体的な詳細とは別の他の実施例も添付の請求項の範囲内である、ことを理解する。更には、明確にするために、周知の装置、回路、及び方法に関する詳細な説明は、本発明の説明を不明瞭にするため省略される。
【０００８】
図面が説明を目的とされ、且つ本発明の範囲を示すものではない、ことは明確に理解されるべきである。添付の図面中、異なる図面の同様の参照符号は同様の要素を示す。
【０００９】
図１は、壁、天井、床、例えばディスプレイの周囲に位置付けられるキャンバス、専用の投射表面、及び／又は画像が与えられるようにする他のシステム／方法等である、表示表面１５０の前方に位置付けられるディスプレイ装置１００を示す。ディスプレイ装置１００は、典型的には表示範囲１２０を取り囲むベゼル１１０（例えば縁）を有する。該範囲において、オーディオ／ヴィジュアルコンテンツ、画像コンテンツ、テレビジョンコンテンツ、コンピュータ画像、写真コンテンツ、ビデオストリーム、及び／又は他の画像等であるコンテンツは、表示される。ディスプレイ装置はまた、複数の画像投射装置を有し（図３中、画像投射装置３４０Ａ，３４０Ｂ，３４０Ｃ）、該複数の画像投射装置は、表示表面１５０上に複数の表示される画像部分１４５Ａ，１４５Ｂ，１４５Ｃを投射するよう、位置付けられるかあるいは構成される。例えば、画像投射装置３４０Ａ，３４０Ｂ，３４０Ｃは、ディスプレイ装置１００の後部に向かって位置付けられ得、環境表示画像部分（ａｍｂｉｅｎｔ  ｄｉｓｐｌａｙｅｄ  ｉｍａｇｅ  ｐｏｒｔｉｏｎｓ）１４５Ａ，１４５Ｂ，１４５Ｃが、ディスプレイ１００の後部に近接して位置付けられる表示表面１５０上に表示されるようにする。この実施例又は他の実施例において、画像投射装置３４０は、ベゼル１１０に沿って位置付けられ得るか、並びに／あるいはベゼル１１０へと一体にされ、画像投射装置３４０の位置付けを容易にする。これら又は他の画像投射装置はまた、例えばベゼル１１０に沿って配置されるディスプレイ装置１００の他の部分に沿って位置付けられ得、表示表面１５０、及び／又はオーバーヘッド表示表面（例えば天井）等である更なる表示表面の異なる部分上におけるこれら又は他の環境表示画像部分の投射を可能にする。
【００１０】
画像投射装置は、液晶ディスプレイ（ＬＣＤ）技術、発光ディスプレイ（ＬＥＤ）技術、レーザ技術等に基づくビーマープロジェクタを有する、表示される画像を投射する機能を有する投射装置の形状であり得る。画像投射装置３４０Ａ，３４０Ｂ，３４０Ｃは各々、所望される通り、また以下に詳細が記載される通り、同一あるいは異なる画像部分を表示することができる。図中、２つの画像投射装置３４０Ａ，３４０Ｂ，３４０Ｃのみは、単に図を単純化し、且つ本発明の説明を容易にするよう、示される。ディスプレイ装置１００の周囲に分散されるより多数の画像投射装置は、明らかに本発明の範囲内であり、ディスプレイ装置１００の側部及び／又は上部等であるディスプレイ装置１００のより多くの部分を取り囲む環境表示画像部分の投射を可能にする。
【００１１】
画像投射装置３４０からのより狭い投射（低減された拡散等）は、個別の画像投射装置毎に低減された所要電力を可能にする一方で、ユーザ（ユーザの目等）に対する環境表示画像部分の安全性を保持する（ｍａｉｎｔａｉｎｉｎｇ  ｔｈｅ  ａｍｂｉｅｎｔ  ｄｉｓｐｌａｙｅｄ  ｉｍａｇｅ  ｐｏｒｔｉｏｎ  ｓａｆｅ）。更には、複数の走査型レーザピコビーマー等である複数の画像投射装置３４０は、表示表面１５０に対する環境表示画像部分１４５の入射角に関係なく、十分な明度、鮮明さ、及び焦点深度を有する極めて詳細な画像が表示表面１５０上に生成されることを可能にする。
【００１２】
図示される通り、重畳する画像領域１６０Ａ，１６０Ｂを有し、該領域において環境表示画像部分１４５Ａ，１４５Ｂ，１４５Ｃは、隣接する環境表示画像部分が互いに重畳する。例えば、環境表示画像部分１４５Ａは、重畳画像領域１６０Ａにおいて環境表示画像部分１４５Ｂと重畳する。環境表示画像部分１４５Ｂは、重畳画像領域１６０Ｂにおいて環境表示画像部分１４５Ｃと重畳する。重畳画像領域の範囲は、画像投射装置３４０Ａ，３４０Ｂ，３４０Ｃの互いに対する相対的配置、画像投射装置３４０Ａ，３４０Ｂ，３４０Ｃの画像分散特性、及び表示表面１５０に対する画像投射装置３４０Ａ，３４０Ｂ，３４０Ｃの近接性及び入射角度、の機能である。
【００１３】
明確には、画像投射装置３４０Ａ，３４０Ｂ，３４０Ｃの位置付け及び拡散特性は、既知及び／又は不変であり得る。しかしながら、典型的には、壁、床等である取り囲む表面に対するディスプレイ１００の位置付け及び入射角は、予め既知ではなく、しばしば不変的ではない。例えば、ディスプレイ装置１００はしばしば、いずれの表面に対しても固定されない。したがって、環境表示画像部分１４５の入射角、及びどのように環境表示画像部分１４５が重畳するかを予め知ることは、困難である。しかし、例えば環境表示画像部分１４５が追加的な画像詳細を有さずに単に色を表示する際に、明確にはこのことに対する要求はないが、適切であれば、環境表示画像部分１４５から表示表面１５０上に協調された画像（ｃｏｏｒｄｉｎａｔｅｄ  ｉｍａｇｅ）を生成することが所望され得る。環境表示画像部分１４５からの協調された画像の生成を容易にするためには、協調された画像が組み合わされた環境表示画像部分１４５の機能であり得るため、表示表面１５０に対して個別の画像投射装置３４０の反射プロファイル（形状、ｐｒｏｆｉｌｅ）を定める、ことが望ましい。
【００１４】
本発明の更なる一実施例によれば、ディスプレイ装置１００は、１つ又はそれより多い画像キャプチャ装置を有し得る。該１つ又はそれより多い画像キャプチャ装置とは、ディスプレイ装置へと一体にされる、あるいは単純にディスプレイ装置の周囲に位置付けられる、カメラ１３０（例えばカメラ１３０Ａ，１３０Ｂ，１３０Ｃ）家庭用モニタリングカメラ、携帯電話において使用されるカメラ、及び／又は、本願において更に記載される通り画像キャプチャ及び環境表示画像部分１４５のクエリを可能とする他の種類のもの等である。２つ又はそれより多くの環境表示画像部分１４５がどのように重畳するかを特定することが時折所望されるため、１つ又はそれより多くのカメラ１３０は、較正手順中に１つ又はそれより多くの環境表示画像部分１４５をキャプチャし得る。大半のカメラ１３０は、本願に従って適切に利用され得る。
【００１５】
図２は、本願の一実施例に従った較正及び位置合わせ手順のフロー図２００である。動作（ａｃｔ）２１０中、較正及び位置合わせ手順は開始される。較正及び位置合わせの開始は、例えばディスプレイ装置が動かされるかあるいは最初にセットアップされた後にオンにされる際、ディスプレイ装置のセットアップ手順中に始められ得る。較正及び位置合わせ手順は、ディスプレイ装置１００における表示されたユーザインターフェイス及び／又は入力装置を介してユーザ選択によって始められ得る。更には、較正及び位置合わせ手順は、ディスプレイ装置の向きにおいて検出される変更に応じて自動的に始められ得るか、あるいは、環境表示画像部分が確実に保持されるよう周期的に始められ得る。いずれにしても、較正及び位置合わせ中、２つ又はそれより多くの画像投射装置は、１つ又はそれより多くの重畳画像領域を生成する動作２２０中に環境表示画像部分を作ることを可能にされる。２つ又はそれより多くの画像投射装置によって投射される画像は、重畳画像領域における各個別の環境表示画像部分を識別するよう十分な画像詳細を与えるよう、選択される。一実施例では、投射される画像は、異なるパターン、色、識別オブジェクト等を有し得、異なる環境表示画像部分の識別を可能にする。いずれにしても、１つ又はそれより多くのカメラは、動作２３０中に重畳画像領域を有する表示面の１つ又はそれより多くの画像をキャプチャする。
【００１６】
ディスプレイ特性、及び、個別並びに他の画像投射装置に対する画像投射装置の位置合わせの特定は、重畳画像領域を有するキャプチャされた画像を使用して動作２４０中に行なわれる。例えば、表示表面上における１つ又はそれより多くの画像投射装置のディスプレイ特性は、１つ又はそれより多くの環境表示画像部分の不適切な色、色調、彩度、明度（例えば明るく過ぎる、あるいは十分に明るくない）等を示し得る。ディスプレイ特性は、画像投射装置の機能、及び／又は表示表面の機能であり得る。動作２５０中、較正及び位置合わせ情報は、２つ又はそれより多くの環境表示画像部分からの協調された画像の投影を容易にするよう格納される。容易に理解される通り、この較正及び位置合わせ手順は、較正及び位置合わせを確認するようすぐに再度実行され得、並びに／あるいは、更なる画像部分に対して再度実行され得る。更には、明確には、較正及び位置合わせ手順の一方は、較正及び位置合わせ手順の他方とは別個に実行され得る。いずれにしても、いずれかの時点において較正及び位置合わせ手順は、動作２６０中に完了される。
【００１７】
一実施例では、画像投射装置は、ディスプレイ装置の通常動作中に作動し得、ディスプレイ装置上に表示される画像コンテンツから導き出されるかあるいは表示される画像コンテンツと同時に実行され得る環境照明スクリプトから定められる表示表面上の協調された画像を生成する。他の実施例では、画像投射装置は、ディスプレイ装置上に生成される画像紺点つとは別個である異なる他の画像コンテンツを生成し得、並びに／あるいは、表示装置が画像コンテンツを表示する際、並びに／あるいはディスプレイ装置が画像コンテンツを表示しない際でも、他の画像コンテンツを生成するよう利用され得る。例えば、他の画像コンテンツは、適切である作動可能な結合（図示せず）を使用して発呼側（ｃａｌｌｅｒ）に関する発呼側識別情報、時間／日付情報、例えば典型的にはピップインピクチャ（ｐｉｐ−ｉｎ−ｐｉｃｔｕｒｅ）ウィンドウにおいて表示される他の使用可能なコンテンツからの画像データ、電子番組ガイド（ＥＰＧ）情報等を有し得る。他の画像コンテンツは、画像コンテンツとは別個である環境効果スクリプトから定められ得る。例えば、画像効果スクリプトは、雰囲気を作るよう、並びに／あるいは、画像コンテンツに関連付けられる、あるいは関連付けられないシーンを表示するよう、配置され得る。
【００１８】
図３は、本発明の一実施例に従ったディスプレイ装置３００を示す。該装置は、メモリ４３０、画像投射装置３４０、画像キャプチャ装置３３０、及びディスプレイ装置３００の作動、及び／又は較正手順の開始に対するユーザ入力装置３７０に対して作動的に結合される、プロセッサ３１０を有する。メモリ３２０は、アプリケーションデータ、並びに位置合わせ情報及び環境効果スクリプト等である他のデータを格納するいかなる種類の装置でもあり得る。アプリケーションデータ及び他のデータは、本発明に従った作動動作を実行するようプロセッサ３１０を構成するよう、プロセッサ４１０によって受信される。作動動作は、コンテンツを表示するようディスプレイ装置３００を制御すること、及び、画像コンテンツに関連付けられ得、並びに／あるいは画像コンテンツに関連付けられ得ない本発明に従った環境画像部分を表示するよう画像投射装置３４０を制御すること、を有する。ユーザ入力装置３７０は、有線リンク又は無線リンク等であるなんらかの種類のリンクを介してプロセッサと連絡するよう、キーボード、マウス、リモートコントロール、又は、単独であるかあるいはパーソナルコンピュータの一部等であるシステムの一部であり得るタッチディスプレイ、携帯端末、及び、テレビジョン受像機等であるディスプレイ装置等を含む他の装置を有し得る。
【００１９】
本発明の方法は、特にコンピュータソフトウェアプログラムによって実行されるよう適切であり、かかるコンピュータソフトウェアプログラムは、望ましくは当該方法の個別の段階又は動作に対応するモジュールを有する。かかるソフトウェアは、当然のことながら、集積チップ等であるコンピュータ可読媒体、周辺装置、又はプロセッサ３１０に対して結合されるメモリ３２０又は他のメモリ等であるメモリにおいて実施され得る。
【００２０】
コンピュータ可読媒体及び／又はメモリ３２０は、記録可能媒体（ＲＡＭ、ＲＯＭ、リムーバブルメモリ、ＣＤ−ＲＯＭ、ハードドライブ、ＤＶＤ、フレキシブルディスク、又はメモリカード等）であり得るか、あるいは、伝送媒体（光ファイバを有するネットワーク、ワールドワイドウェブ、ケーブル、あるいは、時分割多重アクセス、符号分割多重アクセスを使用するワイヤレスチャンネル又は他の高周波チャンネル等）であり得る。例えば、画像キャプチャ装置がディスプレイ装置へと一体にされない一実施例では、メモリ３２０は、画像キャプチャ装置に関連付けられるメモリを有し得る。メモリ３２０は、環境効果スクリプトを格納し得る。プロセッサを有する使用に対して適切である情報を格納することができる既知である媒体又は開発されている媒体は、コンピュータ可読媒体及び／又はメモリ３２０として使用され得る。
【００２１】
追加的なメモリはまた、使用され得る。コンピュータ可読媒体、メモリ３２０、及び／又は他のメモリは、長期メモリ、短期メモリ、又は長期メモリと短期メモリとの組合せ、であり得る。かかるメモリは、本願が開示する方法、作動動作、及び機能を実行するようプロセッサ３１０を構成する。メモリは、分散型であるか、局所的であり得、追加的なプロセッサが与えられ得るプロセッサ３１０はまた、例えば環境照明要素内に置かれて与えられ得るか、単一であり得る。メモリは、電子的、磁気的、又は光メモリ、あるいはこれらの及び他の種類の記憶装置の組合せとして実施され得る。更には、「メモリ」という用語は、プロセッサがアクセスするアドレス可能空間におけるアドレスから読み取ることができる、あるいは該アドレスに書き込むことができるいかなる情報も包含するよう十分に広く解釈されるべきである。この定義を有すると、例えばプロセッサ３１０が本発明に従った作動に対してネットワークから情報を取り出し得るため、ネットワーク上の情報は、依然としてメモリ４３０内にある。メモリがネットワークを介してアクセス可能であり得る外部メモリを有し得るため、ネットワーク接続装置において稼働するスクリプト及び／又は外部メモリにアクセスするためのディスプレイ装置におけるネットワークインターフェイスはまた、本願で使用されるメモリとして解釈され得る。
【００２２】
プロセッサ３１０及びメモリ３２０は、本願に提示されるように参照として組み込まれる米国特許第２００３／００５７８８７において記載される通り、いかなる種類のプロセッサ／コントローラ、及びメモリでもあり得る。プロセッサ３１０は、制御信号を与えること、及び／又はＩ／Ｏ装置３７０からの入力信号に応じて動作を実行すること、並びにメモリ３２０において格納される命令を実行すること、を可能とする。プロセッサ３１０は、アプリケーション特有又は一般的用途の集積回路であり得る。更には、プロセッサ３１０は、本発明に従って実行される専用プロセッサであり得るか、あるいは、多くの機能のうち１つのみが本発明に従って実行されるよう作動する汎用プロセッサであり得る。プロセッサ３１０は、プログラム部分、複数のプログラムセグメントを使用して作動し得るか、あるいは、専用又は多目的修正回路を使用するハードウェア装置であり得る。
【００２３】
当然のことながら、上述の実施例又は工程のいずれも、本発明にしたがって更なる向上をもたらすよう、１つ又はそれより多い他の実施例又は工程と組み合わされ得る。
【００２４】
最後に、上述された説明は、本発明を単に例証することを目的とするものであり、特定の実施例又は実施例の群に対して添付の請求項を制限するものとして解釈されるべきではない。故に、本発明は、その具体的な実施例を参照して特に詳述されてきた一方で、多数の修正及び代替的な実施例が添付の請求項において記載される本発明の意図される趣旨及び範囲から逸脱することなく当業者によって考案され得る、ことが理解されるべきである。例えば、画像投射装置及び画像キャプチャ装置の位置付けは、図１，３に図示されるが、画像投射装置及び／又は画像キャプチャ装置の他の位置付けは、適切に利用され得る。更には、上述から明らかである通り、表示表面は、本願において環境投射画像を表示するよう記載されるが、表面という用語は、例えば環境投射画像を表示する他のシステム、手段等を広範囲に対象とするよう意図される。従って、本明細書及び図面は、例証を目的とするものとして理解されるべきであり、添付の請求項の範囲を制限するよう意図されていない。
【００２５】
添付の請求項の解釈にあたり、以下の点：  
ａ）  「有する」という語は、所定の請求項中に列記される要素又は作用以外の要素及び作用の存在を除外するものではない；  
ｂ）  単数形で示される要素は、かかる要素の複数の存在を除外するものではない；  
ｃ）  請求項中の参照符号は、その範囲を制限するものではない；  
ｄ）  複数の「手段」は、同一のアイテム又はハードウェア又はソフトウェアが行う構造又は機能によって示され得る；  
ｅ）  開示される要素は、ハードウェア部分（例えば、別個及び一体の電子回路を有する）、ソフトウェア部分（例えば、コンピュータプログラム）、及びそれらの組合せを有し得る；  
ｆ）  ハードウェア部分は、アナログ部分及びデジタル部分の一方又は両方を有し得る；  
ｇ）  開示される装置又はその一部分は、特記されない限り、他の部分と合わせられ得るか、あるいは分けられ得る；並びに、  
ｈ）  特定の一連の作用又は段階は、特記されない限り求められるよう意図されない、  
ことが理解されるべきである。
【図面の簡単な説明】
【００２６】
【図１】本発明の一実施例に従った装置を図示する。
【図２】本発明の一実施例に従ったフロー図を図示する。
【図３】本発明の一実施例に従った装置の詳細を図示する。
【図１】
2009530683.tif 000003
【図２】
2009530683.tif 000004
【図３】
2009530683.tif 000005
【国際調査報告】
2009530683.tif 000006
2009530683.tif 000007
2009530683.tif 000008